(57)【要約】【課題】利用者が、上下半身の筋肉群を鍛錬し且つ運動することを可能にする構造を含む、上下半身用の運動器具を提供する。【解決手段】運動器具は、基部上に回転可能に支持される遊びホイール、基部の軸に回転可能に取り付けられる２つのハンドル、ハンドルに固定された２つの扇形歯車、及び扇形歯車に係合した２つの回転可能な歯車及び小歯車を含む。ピボットピンが、基部上に回転可能に支持され且つ遊びホイールに結合され、２つの歯車が、ピボットピン上に一方向軸受で取り付けられ、且つ歯車及び小歯車で噛合され、且つ２つの小歯車もまたピボットピン上に一方向軸受で取り付けられ、且つ扇形歯車で噛合される。ハンドルが、利用者による往復動作で押し引きされるとき、遊びホイールは、歯車及び小歯車を介してピボットピンによって継続的に回転されてもよい。【選択図】図３
0003126546.tif 000002
【実用新案登録請求の範囲】
【請求項１】
運動器具であって：
基部の上に支持される軸を含む該基部と、
利用者によるハンドルの押し引きを可能にするよう、当該基部上に回転可能に支持される遊びホイールと、
前記軸に回転可能に取り付けられる２つのハンドルと、
該２つのハンドルに取り付けられ且つ夫々前記ハンドルによって前記軸に対して回転するよう配列された２つの扇形歯車と、
前記基部上に回転可能に支持される第１ピボットピンと、
該第１ピボットピン上に固定され且つ当該第１ピボットピンと協調して回転される２つの第１歯車及び２つの第１小歯車と、
前記遊びホイールが前記第２ピボットピンによって回転され且つ駆動されることを可能にするよう、前記基部上に回転可能に支持され且つ前記遊びホイールに結合された第２ピボットピンと、
第２歯車が夫々前記ピボットピンに対して一方向に回転されることを可能にするよう、夫々が一方向軸受で前記第２ピボットピン上に回転可能に取り付けられる２つの該第２歯車と、
第２小歯車が夫々前記ピボットピンに対して一方向に回転されることを可能にするよう、夫々が前記第２ピボットピン上に一方向軸受で回転可能に取り付けられる２つの該第２小歯車と、
を有し、
前記２つの第１小歯車は夫々前記扇形歯車と係合し、
前記第２歯車は夫々前記第１歯車と噛合され、
前記第２小歯車は夫々前記扇形歯車と噛合され、
前記遊びホイールは、前記ハンドルが利用者による往復動作中に押し引きされるとき、夫々前記第２歯車及び前記第２小歯車を介して、前記第２ピボットピンによって継続的に回転され且つ駆動されている、
運動用具。
【請求項２】
前記第２ピボットピンはプーリを含み、該プーリは、その上に固定され且つ前記遊びホイールに結合され、前記遊びホイールが前記プーリによって回転され且つ駆動されることを可能にし、前記遊びホイールは、車軸で前記基部に回転可能に取り付けられ、且つ前記車軸は前記プーリにベルトで結合され、前記遊びホイールは、固定され且つ発電機に結合された第２プーリを含み、それにより当該発電機に電気エネルギーを生成させ、磁気ブレーキ装置が前記遊びホイールのそばに配置されて、前記遊びホイールにブレーキをかける、
請求項１記載の運動器具。
【請求項３】
前記基部は、その上に回転可能に支持されるスピンドル、及び２つのクランクで当該スピンドルに取り付けられる２つのフットペダルを含み、それにより当該フットペダルが利用者によって漕がれ且つ踏まれることを可能にし、
前記スピンドルは、その上に固定されたプーリ、及び当該基部上に回転可能に支持され且つ当該プーリに結合された第２遊びホイールを含み、それにより前記第２遊びホイールが前記スピンドルによって当該プーリを介して回転され且つ駆動されることを可能にし、前記第２遊びホイールは、前記基部に車軸で回転可能に取り付けられ、且つ前記車軸は前記プーリにベルトで結合される、
請求項１記載の運動器具。
【請求項４】
前記第２遊びホイールは、固定され且つ発電機と結合された第２プーリを含み、当該発電機に電気エネルギーを生成させる、
請求項３記載の運動器具。
【請求項５】
磁気ブレーキ装置が、前記第２遊びホイールのそばに配置されて、前記第２遊びホイールにブレーキをかける、
請求項３記載の運動器具。
【考案の詳細な説明】
【技術分野】
【０００１】
本考案は、運動器具に係り、より詳細には、利用者が、上半身及び下半身の筋肉群両方を鍛錬し且つ運動することを可能にする構造を有する、上下半身用の運動器具に係る。
【背景技術】
【０００２】
利用者の上半身及び下半身の筋肉群の両方を鍛錬し且つ運動させる典型的な運動器具が、開発され且つ提供されてきた。典型的な運動器具は、利用者が漕ぐフットペダルを支持する一対のクランク、及び利用者が押し引きする一対のハンドルを備える。
【０００３】
たとえば、Pitzen他に付与された米国特許第５，１１４，３９１号明細書は、典型的な上下半身用の運動器具の１つを開示している。この運動器具はまた、フットペダルを支持する一対のクランク、及び利用者によって操作されるか又は動かされる一対のハンドルをも含み、それにより２つの動作を行う。各動作は、機械的動作を取り入れて利用者のアウトプットを回転運動へと変換し、それにより２つの発電機のうち１つに電力を供給する。利用者へと戻る機械的動作によって負荷が結合され、それにより運動行動に抵抗をもたらす。しかしながら、部材又は素子を一緒に結合させるには、複雑なチェーン・スプロケット式結合機構が必要とされ、チェーンは、不注意でスプロケットから外れてしまう十分な可能性を有する場合があり、且つチェーン及びスプロケットが運動器具内深くに係合されているため、チェーンが利用者に容易に手が届かない場合がある。
【０００４】
Petersenに付与された米国特許第５，９９２，２５３号明細書は、別の典型的な上下半身用の運動器具を開示している。この運動器具は、骨組上に回転可能に支持される軸、軸上にマウントされた２つの一方向クラッチ、及び一方向クラッチ上に夫々マウントされた２つの小歯車を備え、軸を駆動するため、２つの軸受機構及び２つのラックが、軸上にマウントされ且つ小歯車間にマウントされる。しかしながら、一方向クラッチ及び小歯車並びに軸受機構及びラック間の結合が複雑であり、運動器具の製造コストをもまた多大に増加させてしまう場合もある。
【０００５】
本考案は、従来の上下半身用の運動器具について前述した不都合を、軽減且つ／又は除去するために生まれた。
【考案の開示】
【考案が解決しようとする課題】
【０００６】
本考案は、利用者が、上半身及び下半身の筋肉群両方を鍛錬し且つ運動することを可能にする構造を含む、上下半身用の運動器具を提供することを主な目的とする。
【課題を解決するための手段】
【０００７】
本考案の一態様によれば、
運動器具であって：
基部の上に支持される軸を含む該基部と、
利用者によるハンドルの押し引きを可能にするよう、当該基部上に回転可能に支持される遊びホイールと、
前記軸に回転可能に取り付けられる２つのハンドルと、
該２つのハンドルに取り付けられ且つ夫々前記ハンドルによって前記軸に対して回転するよう配列された２つの扇形歯車と、
前記基部上に回転可能に支持される第１ピボットピンと、
該第１ピボットピン上に固定され且つ当該第１ピボットピンと協調して回転される２つの第１歯車及び２つの第１小歯車と、
前記遊びホイールが前記第２ピボットピンによって回転され且つ駆動されることを可能にするよう、前記基部上に回転可能に支持され且つ前記遊びホイールに結合された第２ピボットピンと、
第２歯車が夫々前記ピボットピンに対して一方向に回転されることを可能にするよう、夫々が一方向軸受で前記第２ピボットピン上に回転可能に取り付けられる２つの該第２歯車と、
第２小歯車が夫々前記ピボットピンに対して一方向に回転されることを可能にするよう、夫々が前記第２ピボットピン上に一方向軸受で回転可能に取り付けられる２つの該第２小歯車と、
を有し、
前記２つの第１小歯車は夫々前記扇形歯車と係合し、
前記第２歯車は夫々前記第１歯車と噛合され、
前記第２小歯車は夫々前記扇形歯車と噛合され、
前記遊びホイールは、前記ハンドルが利用者による往復動作中に押し引きされるとき、夫々前記第２歯車及び前記第２小歯車を介して、前記第２ピボットピンによって継続的に回転され且つ駆動されている、
運動用具
が提供される。
【０００８】
第２ピボットピンはプーリを含み、プーリは、その上に固定され且つ遊びホイールに結合され、遊びホイールがプーリによって回転され且つ駆動されることを可能にする。遊びホイールは、車軸で基部に回転可能に取り付けられ、且つ車軸は、次に、プーリにベルトで結合されてもよい。
【０００９】
遊びホイールは、固定され且つ発電機に結合された第２プーリを含み、それにより発電機に電気エネルギーを生成させる。磁気ブレーキ装置が、更に設けられ且つ遊びホイールのそばに配置されて、遊びホイールにブレーキをかける。
【００１０】
基部は、その上に回転可能に支持されるスピンドル、及び２つのクランクでスピンドルに取り付けられた２つのフットペダルを含み、それによりフットペダルが、利用者によって漕がれ且つ踏まれることを可能にする。スピンドルは、その上に固定されたプーリ、及び基部上に回転可能に支持され且つプーリに結合された第２遊びホイールを含み、それにより第２遊びホイールが、スピンドルによってプーリを介して回転され且つ駆動されることを可能にする。
【００１１】
第２遊びホイールは、基部に車軸で回転可能に取り付けられ、且つ車軸はプーリにベルトで結合される。第２遊びホイールは、固定され且つ発電機と結合された第２プーリを含み、発電機に電気エネルギーを生成させる。磁気ブレーキ装置が、更に設けられ且つ第２遊びホイールのそばに配置されて、第２遊びホイールにブレーキをかける。
【００１２】
本考案の更なる目的及び利点は、添付の図面を適切に参照するとともに、以下に記載の詳細な説明を熟読することで明らかになろう。
【考案を実施するための最良の形態】
【００１３】
図面を参照し、最初に図１〜図４を参照すると、本考案による運動器具は、基部１を備える。基部１には、縦向きの骨組１１、前方の横向きビーム１２、及び後方の横向きビーム１３が一緒に固定されて、基部１の強固且つ安定した構造を形成する。基部１はまた、基部１の正面部分から上方に伸びた柱１４も含み、且つその上に配置された制御パネル及び／又は制御装置１５を有する。
【００１４】
基部１は更に、基部１の中央部分から上方に伸びた１つ又は複数、たとえば３つ等の支柱１７０、１７１、１７２、及び支柱１７０〜１７２の上部に配置されたか又は取り付けられたトラック１７を含み、トラック１７は、その上にサドル又はシートクッション１８を滑動可能に支持する。シートクッション１８は、後方部分から上方に伸びた背もたれ１９を含む。背もたれ１９は、利用者の後方又は背面部分と係合するか又は支持する。
【００１５】
更に、コラム２０を提供する。コラム２０もまた、基部１の正面部分から上方に伸び、コラム２０の上部に固定又若しくは配置された短い植え込みボルト２１、及び短い植え込みボルト２１に取りつけ若しくは配置され且つ／又はコラム２０から伸びるプレート２２を有する。スピンドル２３が、コラム２０及び／又はプレート２２に回転可能に取り付けられ、且つ／又は短い植え込みボルト２１に回転可能に取り付けられる。２つのフットペダル２６、２７が、２つのクランク２４でスピンドル２３に取り付けられる。フットペダル２６、２７は、利用者が、ペダルを漕ぐか又は踏むことで、通常のサイクリング運動を行うことを可能にする。
【００１６】
更なるコラム２８が、その上に柱１４を支持するため、基部１の正面部分から上方に伸びてもよい。プーリ３１が、スピンドル２３に取り付けられるか又は固定されてもよく、スピンドル２３と協調して回転し、それにより、プーリ３１が、フットペダル２６、２７によって回転又は駆動されることが可能になる。ウエイト又は遊びホイール３２が、たとえば車軸３２０（図２）等で、コラム２８に回転可能に取り付けられるか又は支持される。車軸３２０は、プーリ３１にベルト３３等で結合され、ウエイト又は遊びホイール３２もまたフットペダル２６、２７によって回転又は駆動されることが可能になる。
【００１７】
図２にも示されるように、ウエイト又は遊びホイール３２は、一方の側部に伸びるか又は配置された別のプーリ３２１を含み、プーリ３２１は、ベルト４１等で発電機４に結合される。それにより、発電機４が、更なる活用のための電気エネルギーを生成することを可能にする。ウエイト又は遊びホイール３２にブレーキをかけるための磁気ブレーキ装置３４が、ウエイト又は遊びホイール３２のそばに取り付けられ且つ／又は配置されてもよい。
【００１８】
軸５が、基部１上に取り付けられるか若しくは回転可能に支持され、且つ／又は支柱１７０に取り付けられる。２つのハンドル５１、５２が、各自、利用者がつかむか又は握るためのハンドグリップ５１０、５２０を含み、ハンドルの上部に形成されるか又は提供される。各ハンドルはまた、軸５に回転可能に結合されるか又は取り付けられる結合器若しくはハブ５１１、５２１を含み、ハンドルの下部分に形成されるか又は提供される。それにより、ハンドル５１、５２が、利用者によって押し引きされ且つ／又は操作されることが可能になる。
【００１９】
２つのダクト６０、６１もまた、軸５に回転可能に結合されるか若しくは取り付けられ、且つ／又はハンドル５１、５２の結合器若しくはハブ５１１、５２１に夫々固定される。それにより、ダクト６０、６１が、ハンドル５１、５２によって、軸５に対して夫々回転されるか又は駆動されることが可能になる。ダクト６０、６１は各自、ダクト６０、６１に取り付けられるか又はダクト６０、６１から伸びた扇形歯車６２、６３を含み、各扇形歯車６２、６３は、その上に形成されるか又は提供されるラック歯車６２１、６３１を有する。それにより、扇形歯車６２、６３もまた、ハンドル５１、５２によって、夫々軸５に対して回転されるか又は駆動されることができる。
【００２０】
２つのピボットピン７０、８０が、基部1上に回転可能に取り付けられるか若しくは支持されてもよく、又は直接支柱１７０、１７１に回転可能に取り付けられ、又はボード１７３に夫々間接的に取り付けられても良い。各ピボットピン７０、８０は、その上に配置された２つの歯車７１、７３、歯車８１、８３（図４）を含み、且つその上に配置された２つの小歯車７２、７４及び小歯車８２、８４を含む。このうち、小歯車７２、７４は、歯車７１、７３に夫々強固に固定され又は結合され又は一体となって形成される（図４〜図７）。このうち、小歯車７２、７４及び小歯車８２、８４は、扇形歯車６２、６３のラック歯車６２１、６３１と夫々係合し、且つ歯車７１、８１及び歯車７３、８３は、互いに係合する。
【００２１】
図８に最も良く示されるように、歯車８１、８３及び歯車８２、８４は、互いに隔てられ、且つ１つ若しくは複数の止め輪又は留め金具８８でピボットピン８０に回転可能に取り付けられるか又は固定され、且つピボットピン８０に一方向軸受８１０、８２０で夫々回転可能に取り付けられる。それにより、歯車８１、８３及び小歯車８２、８４が、ピボットピン８０に対して一方向に夫々回転することが可能になる。プーリ８６が、ピボットピン８０に取り付けられるか又は固定され（図１〜図４及び図８）、且つピボットピン８０と協調して回転される。
【００２２】
歯車８１及び小歯車８２の一方向軸受８１０、８２０は、歯車８１及び小歯車８２が、ピボットピン８０に対して一方向又は逆方向に自由に回転できるよう配列される。それはたとえば、ピボットピン８０に対して反時計回りに夫々が回転されたとき等であるが、時計回りに回転されるときは、歯車８１及び小歯車８２が、ピボットピン８０と協調して回転することを可能にし、又は、ピボットピン８０が、他の方向又は活動方向に回転又は駆動されることを可能にし、それはたとえば、歯車８１又は小歯車８２のいずれかによって時計回りに回転又は駆動される等である。
【００２３】
別のウエイト又は遊びホイール９２が、基部１上又は後方の支柱１７２上に車軸９２０（図２）等で回転可能に取り付けられるか又は支持される。車軸９２０は、ベルト９３等でプーリ８６に結合され、それによりウエイト又は遊びホイール９２もまたピボットピン８０によって回転又は駆動されることが可能になる。図２にもまた示されるように、ウエイト又は遊びホイール９２は、一方の側部に伸び又は配置され又は固定された、別のプーリ９２１を含む。プーリ９２１は、たとえばベルト９１等で別の発電機９に結合され、それにより発電機９が、更なる活用のために電気エネルギーを生成することを可能にする。ウエイト若しくは遊びホイール９２にブレーキをかけるための磁気ブレーキ装置９０を、ウエイト若しくは遊びホイール９２に取り付け且つ／又はウエイト若しくは遊びホイール９２のそばに配置してもよい。更に、前方の筐体若しくは蓋１６及び／又は後方の筐体若しくは蓋１６１が、部品若しくは素子、特に回転可能な部材を囲うか又は遮蔽するために提供され且つ基部１上に取り付けられてもよい。
【００２４】
操作中、図４〜図７に示すように、１つのハンドル、たとえば左ハンドル５１等が、シートクッション１８のサドルから前方に押し出され又は引き離され又は遠ざけられるとき、扇形歯車６２が、反時計回りに回転して、小歯車７２、８２を時計回りに回転させる。この時点で、時計回りに回転する小歯車８２は、回転するか、又はピボットピン８０もまた時計回りに回転させる。このことは、ウエイト若しくは遊びホイール９２を、一方向に、たとえば時計回り等に回転するよう回転又は駆動することが目的である。
【００２５】
時計回りに回転する小歯車７２は、回転するか、又は歯車７１もまた時計回りに回転させてもよい。何故なら、歯車７１及び小歯車７２は、一緒に強固に固定され且つ互いに協調して回転するからである。時計回りに回転する歯車７１は、次に、他の噛合歯車８１が、反時計回りに回転させてもよく、反時計回りに回転する歯車８１は、ピボットピン８０に対して自由に回転してもよく、この時点で、ピボットピン８０を回転又は駆動させなくてもよい。
【００２６】
これに反して、左ハンドル５１が、後方に引かれるか又はサドル又はシートクッション１８に向かって引かれるか若しくは移動されると、扇形歯車６２は、時計回りに回転されて、小歯車７２、８２を、反時計回りに回転するようにさせる。この時点で、反時計回りに回転する小歯車８２は、ピボットピン８０に対して自由に回転してもよく、且つピボットピン８０を回転又は駆動させなくてもよく、したがって回転しないか又はウエイト若しくは遊びホイール９２を回転させなくてもよい。
【００２７】
同時に、この時点で、反時計回りに回転する小歯車７２は、回転するか、又は歯車７１もまた反時計回りに回転させてもよい。なぜなら、歯車７１及び小歯車７２は、一緒に強固に固定され且つ互いに協調して回転されるからである。次に、反時計回りに回転する歯車７１は、他の噛合歯車８１を時計回りに回転させてもよく、且つ時計回りに回転する歯車８１は、回転するか又はピボットピン８０もまた時計回りに回転させてもよい。このことは、ウエイト若しくは遊びホイール９２もまた時計回りに回転するよう、回転させ又は駆動させることが目的である。
【００２８】
したがって、左ハンドル５１が、サドル若しくはシートクッション１８から前方に押し出され又は引き離され又は遠ざけられるとき、時計回りに回転する小歯車８２は、ピボットピン８０もまた時計回りに回転させてもよく、次に、ウエイト又は遊びホイール９２を回転させるか又は駆動させる。反時計回りに回転する歯車８１は、ピボットピン８０に対して自由に回転する。同時に、右ハンドル５２を、後方に引くか又はサドル若しくはシートクッション１８に向けて引くか若しくは近づける。そして、反時計回りに回転する小歯車８４は、ピボットピン８０に対して自由に回転してもよく、時計回りに回転する歯車８３は、ピボットピン８０もまた時計回りに回転させてもよく、次に、ウエイト若しくは遊びホイール９２を回転させるか又は駆動させる。
【００２９】
その結果、左ハンドル５１が前方に押し出され且つ右ハンドル５２が後方に引かれるとき、時計回りに回転する小歯車８２及び時計回りに回転する歯車８３の両方を、ピボットピン８０を介してウエイト若しくは遊びホイール９２を回転させ又は駆動させることに用いてもよい。これに反して、左ハンドル５１が後方に引かれ、且つ右ハンドル５２が前方に押し出されるとき、時計回りに回転する小歯車８４及び時計回りに回転する歯車８１の両方を、ウエイト若しくは遊びホイール９２をピボットピン８０を介して回転させ又は駆動させることに用いてもよい。
【００３０】
したがって、ハンドル５１、５２が、往復動作中に前方に押し出され且つ後方に引かれるとき、ウエイト又は遊びホイール９２は、ハンドル５１、５２によって継続的に回転されてもよい。発電機９もまた、ウエイト又は遊びホイール９２の回転によって、継続的に電力を供給されてもよい。したがって更なる活用のため、たとえば、磁気ブレーキ装置９０を作動又は操作する等のために、電気エネルギーを継続的に生成させてもよい。特別設計された扇形歯車６２、６３及び小歯車７２、７４、８２、８４、及び歯車７１、７３、８１、８３は、ウエイト又は遊びホイール９２をハンドル５１、５２によって継続的に回転させてもよい。
【００３１】
同様に、通常のサイクリング運動を行うためのフットペダル２６、２７が、利用者によって継続的に漕がれるか又は踏まれるとき、ウエイト又は遊びホイール３２もまたフットペダル２６、２７によって継続的に回転されてもよい。このことは、発電機９を回転又は駆動することで、更なる活用のために、たとえば磁気ブレーキ装置３４を作動又は操作する等のために、電気エネルギーを継続的に生成することが目的である。
【００３２】
したがって、本考案による運動器具は、利用者が、上半身及び下半身の筋肉群の両方を鍛錬し且つ運動することを可能にする構造を含む、上下半身用の運動器具を含む。
【００３３】
本考案を、或る程度詳細に説明してきたが、本開示は例示としてのみ成され、詳細な構成における様々な変更並びにパーツの組み合わせ及び配置は、添付の請求の範囲に記載されているような本考案の精神及び範囲から逸脱することなく、行使されてもよいことを理解されたい。
【図面の簡単な説明】
【００３４】
【図１】本考案による上下半身用の運動器具の斜視図である。
【図２】上下半身用の運動器具の側面概略図である。
【図３】運動器具の内部構造を示すために運動器具の一部分が取り除かれた、図１に類似した部分斜視図である。
【図４】図３に示す上下半身用の運動器具の上面概略図である。
【図５】上下半身用の運動器具の歯車機構を示す、拡大された部分平面概略図である。
【図６】図５に示す上下半身用の運動器具の歯車機構の上面概略図である。
【図７】図５及び図６に示す上下半身用の運動器具の歯車機構の斜視図である。
【図８】図６の線８−８に沿って取得された運動器具の部分断面図である。
【符号の説明】
【００３５】
１      基部
４      発電機
５      軸
９      発電機
１１      骨組
１２      前方の横向きビーム
１３      後方の横向きビーム
１４      柱
１５      制御装置
１６      蓋
１７      トラック
１８      シートクッション
１９      背もたれ
２０      コラム
２１      植え込みボルト
２２      プレート
２３      スピンドル
２４      クランク
２６      フットペダル
２７      フットペダル
２８      コラム
３１      プーリ
３２      遊びホイール
３３      ベルト
３４      磁気ブレーキ装置
４１      ベルト
５１      ハンドル
５２      ハンドル
６０      ダクト
６１      ダクト
６２      扇形歯車
６３      扇形歯車
７０      ピボットピン
７１      歯車
７２      小歯車
７３      歯車
７４      小歯車
８０      ピボットピン
８１      歯車
８２      小歯車
８３      歯車
８４      小歯車
８６      プーリ
８８      留め金具
９０      磁気ブレーキ装置
９１      ベルト
９２      遊びホイール
９３      ベルト
１６１      蓋
１７０      支柱
１７１      支柱
１７２      支柱
１７３      ボード
３２０      車軸
３２１      プーリ
５１０      ハンドグリップ
５１１      ハブ
５２０      ハンドグリップ
５２１      ハブ
６２１      ラック歯車
６３１      ラック歯車
８１０      一方向軸受
８２０      一方向軸受
９２０      車軸
９２１      プーリ
【図１】
0003126546.tif 000003
【図２】
0003126546.tif 000004
【図３】
0003126546.tif 000005
【図４】
0003126546.tif 000006
【図５】
0003126546.tif 000007
【図６】
0003126546.tif 000008
【図７】
0003126546.tif 000009
【図８】
0003126546.tif 000010
【手続補正書】
【提出日】平成18年8月25日(2006.8.25)
【手続補正１】
【補正対象書類名】実用新案登録請求の範囲
【補正対象項目名】請求項１
【補正方法】変更
【補正の内容】
【請求項１】
運動器具であって：
基部の上に支持される軸を含む該基部と、
利用者によるハンドルの押し引きを可能にするよう、当該基部上に回転可能に支持される遊びホイールと、
前記軸に回転可能に取り付けられる２つのハンドルと、
該２つのハンドルに取り付けられ且つ夫々前記ハンドルによって前記軸に対して回転するよう配列された２つの扇形歯車と、
前記基部上に回転可能に支持される第１ピボットピンと、
該第１ピボットピン上に固定され且つ当該第１ピボットピンと協調して回転される２つの第１歯車及び２つの第１小歯車と、
前記遊びホイールが前記第２ピボットピンによって回転され且つ駆動されることを可能にするよう、前記基部上に回転可能に支持され且つ前記遊びホイールに結合された第２ピボットピンと、
第２歯車が夫々前記ピボットピンに対して一方向に回転されることを可能にするよう、夫々が一方向軸受で前記第２ピボットピン上に回転可能に取り付けられる２つの該第２歯車と、
第２小歯車が夫々前記ピボットピンに対して一方向に回転されることを可能にするよう、夫々が前記第２ピボットピン上に一方向軸受で回転可能に取り付けられる２つの該第２小歯車と、
を有し、
前記２つの第１小歯車は夫々前記扇形歯車と係合し、
前記第２歯車は夫々前記第１歯車と噛合され、
前記第２小歯車は夫々前記扇形歯車と噛合され、
前記遊びホイールは、前記ハンドルが利用者による往復動作中に押し引きされるとき、夫々前記第２歯車及び前記第２小歯車を介して、前記第２ピボットピンによって継続的に回転され且つ駆動されている、
運動器具。